(57)【要約】無線通信装置と基地局との間に介在する方法及びシステム。受信器は、複数の周囲基地局からの送信を走査するために使用される。全ての受信された送信の完全なフィールド強度は測定され、前記基地局によって送信された情報が受信される。次いで、送信器の送信パワーレベルは、対応基地局から検出され、最も高く測定された完全なフィールド強度よりもさらに大きい完全なフィールド強度を有するようにセットされる。無線通信装置からインターフェース信号が受信されると、前記対応情報は、前記受信器及び送信器に最も近い前記無線通信装置の使用を阻止するために、前記無線通信装置と周囲基地局との間の代わりに、前記無線通信装置と前記受信器及び送信器との間に通信チャネルを確立することによって前記無線通信装置をその後制御するように、前記無線通信装置に送信される。
2004505490.tif 000002
【特許請求の範囲】
【請求項１】
無線通信装置と基地局との間に介在する方法であって、
前記方法は、
多数の周囲基地局からの送信を走査するために受信器を使用する段階と、
全ての受信された送信の完全なフィールド強度を測定し、かつ、前記基地局によって送信された情報を記録する段階と、
対応基地局から検出され、前記最も高く測定された完全なフィールド強度よりさらに大きい完全なフィールド強度を有するように、前記送信器パワーレベルをセットする段階と、
無線通信装置からインターフェース信号を受信する段階と、
前記受信器及び送信器に最も近い前記通信装置の使用を阻止するために、前記無線通信装置と周囲基地局との間の代わりに、前記無線通信装置と前記受信器及び送信器との間に、通信チャネルを確立することによって、前記無線通信装置をその後制御するための前記対応情報を前記無線通信装置に送信する段階と
を具備することを特徴とする方法。
【請求項２】
前記送信する段階は、前記無線通信装置からの送信がいずれの対応周囲基地局に届かないように、前記無線通信装置にその送信パワーを低くするよう命令する段階を具備することを特徴とする請求項１に記載の方法。
【請求項３】
前記送信する段階は、前記無線通信装置に、いずれかの対応周囲基地局によって認識されない周波数で送信するよう命令する段階を具備することを特徴とする請求項１に記載の方法。
【請求項４】
全てのインターフェース信号の記録、及び、無線通信装置から受信されたサービス送信に対する要求を保有する段階をさらに具備することを特徴とする請求項１に記載の方法。
【請求項５】
無線通信装置の追跡活動に対する前記記録をポーリングする段階をさらに具備することを特徴とする請求項４に記載の方法。
【請求項６】
無線通信装置がサービス送信に対する要求を送信するとき、警告を行う段階をさらに具備することを特徴とする請求項１に記載の方法。
【請求項７】
前記送信する段階は、前記無線通信装置に、携帯電話サービスプロバイダとの通常通信から、それ自身を取り除くための処理を行うように命令する段階を具備することを特徴とする請求項１に記載の方法。
【請求項８】
無線通信装置と基地局との間に介在する方法であって、
前記方法は、
多数の周囲基地局からの送信を走査するために受信器を使用する段階と、
無線通信装置からインターフェース信号を受信する段階と、
前記受信器及び送信器に最も近い前記通信装置の使用を阻止するために、前記無線通信装置と周囲基地局との間の代わりに、前記無線通信装置と前記受信器及び送信器との間に、通信チャネルを確立することによって、前記無線通信装置をその後制御するための前記対応情報を前記無線通信装置に送信する段階と
を具備することを特徴とする方法。
【請求項９】
前記通信チャネルを確立する段階は、全ての受信された送信の前記完全なフィールド強度を測定し、かつ、前記基地局によって送信された前記情報を記録する段階を具備することを特徴とする請求項８記載の方法。
【請求項１０】
前記送信する段階は、対応基地局から検出され、前記最も高く測定された完全なフィールド強度よりさらに大きい完全なフィールド強度を有するように、前記送信器パワーレベルをセットする段階を具備することを特徴とする請求項９記載の方法。
【請求項１１】
アンテナと、
前記アンテナによって受信された送信に応答する受信器と、
送信器と、
前記受信器に応答し、かつ、送信器に接続された制御モジュールと
を具備し、
前記制御モジュールは、
周囲基地局から前記受信器によって検出された全ての受信された送信の前記完全なフィールド強度を測定し、
前記周囲基地局によって送信された前記情報を記録し、
対応基地局から検出され、前記最も高く測定された完全なフィールド強度よりさらに大きい完全なフィールド強度を有するように、前記送信器の送信パワーレベルをセットし、
前記受信器に最も近い予め決められた地域での無線通信装置から前記送信器によって受信されたインターフェース信号を検出し、
前記システムが前記予め決められた地域での前記無線通信装置の使用を阻止するように、前記セットされた完全なフィールド強度で、前記対応情報を前記無線通信装置に送信するように
構成されることを特徴とする通信装置介在システム。
【請求項１２】
前記制御モジュールは、さらに、前記無線通信装置からの送信がいずれの対応周囲基地局に届かないように、前記無線通信装置にその送信パワーを低くするよう命令する信号を前記無線通信装置に送信するように構成されることを特徴とする請求項１１に記載のシステム。
【請求項１３】
前記制御モジュールは、さらに、前記無線通信装置に、いずれかの対応周囲基地局によって認識されない周波数で送信するよう命令する信号を前記無線通信装置に送信するように構成されることを特徴とする請求項１１記載のシステム。
【請求項１４】
前記制御モジュールは、さらに、携帯電話サービスプロバイダとの通常通信から、それ自身を取り除くために前記無線通信装置に送信するように構成されることを特徴とする請求項１１記載のシステム。
【請求項１５】
全てのインターフェース信号、及び、無線通信装置から受信されたサービス送信に対する要求を記録するように構成されることを特徴とする請求項１１記載のシステム。
【請求項１６】
無線通信装置の追跡活動に対する制御モジュールの選択されたグループの記録をポーリングするように構成される遠隔管理部をさらに具備することを特徴とする請求項１３記載のシステム。
【請求項１７】
前記遠隔管理部に応答し、かつ、無線通信装置がサービス送信に対する要求を送信するとき、警告を行うように構成されたシステムコンピュータをさらに具備することを特徴とする請求項１６に記載の方法。
【請求項１８】
アンテナと、
前記アンテナによって受信された送信に応答する受信器と、
送信器と、
前記受信器に応答し、かつ、前記送信器に接続される制御モジュールと
を具備し、
前記制御モジュールは、
前記周囲基地局によって送信された前記情報を記録し、
前記受信器に最も近い予め決められた地域での無線通信装置から前記送信器によって受信されたインターフェース信号を検出し、
前記システムが前記予め決められた地域での前記無線通信装置の使用を防止するように、前記対応情報を前記無線通信装置に送信するように
構成されることを特徴とする通信装置介在システム。
【請求項１９】
前記送信器は、調整可能なパワーレベルを有することを特徴とする請求項１８に記載の通信装置介在システム。
【請求項２０】
前記制御モジュールは、前記周囲基地局からの前記受信器によって検出された全ての受信された送信の前記完全なフィールド強度を測定するように構成されることを特徴とする請求項１８に記載の方法。
【請求項２１】
前記制御モジュールは、対応基地局から検出され、前記最も高く測定された完全なフィールド強度よりさらに大きい完全なフィールド強度を有するように、前記送信器の前記送信パワーレベルをセットするようにさらに構成されることを特徴とする請求項２０記載の通信装置介在システム。
【請求項２２】
前記制御モジュールは、前記セットされた完全なフィールド強度で送信するように構成されることを特徴とする請求項２１記載の通信装置介在システム。
【請求項２３】
通信装置と基地局との間に介在するシステムであって、
前記複数の各制御部が、
アンテナと、
前記アンテナによって受信された送信に応答する受信器と、
調整可能なパワーレベルを有する送信器と、
前記送信器に応答し、かつ、前記送信器と接続された制御モジュールとを有し、
前記無線通信装置の追跡活動に対する前記制御部の前記記録をポーリングするように前記多数の制御部にリンクされた遠隔管理部と、
前記無線通信装置がサービス送信に対する要求を送信するとき、警告を行うように前記遠隔管理部に応答するシステムコンピュータと
を具備し、
前記制御モジュールは、周囲基地局から前記受信器によって検出され、受信された送信の前記完全なフィールド強度を測定し、
前記周囲基地局から送信された前記情報を記録し、
対応基地局から検出され、前記最も高く測定された完全なフィールド強度よりさらに大きい完全なフィールド強度を有するように、前記送信器の送信パワーレベルをセットし、
前記受信器に最も近い予め決められた地域での無線通信装置から前記受信器によって受信されたインターフェース信号を検出し、かつ、記録し、
前記システムが前記予め決められた地域で前記無線通信装置の前記使用を防止するように、前記セットされた完全なフィールド強度で、前記無線通信装置に前記対応情報を送信する
ことを特徴とするシステム。
【請求項２４】
前記遠隔管理部は、ＡＣパワーラインを介して複数の制御部にリンクされていることを特徴とする請求項２３に記載のシステム。
【請求項２５】
前記制御部のサブセットにそれぞれリンクされた複数の遠隔管理部と、複数の遠隔管理部にリンクされている前記システムコンピュータとがあることを特徴とする請求項２３に記載のシステム。
【発明の詳細な説明】
【０００１】
【発明の属する技術分野】
本発明は、例えば、携帯電話が安全やセキュリティの理由のために、かつ、人々が迷惑と考えるようなレストランや他の会場で携帯電話を使用できないようにするために、あらかじめ決められた地域で使用されないように、無線通信装置と基地局との間に介在する通信装置介在（ｉｎｔｅｒｖｅｎｔｉｏｎ）システム及び方法に関する。本出願は、２０００年７月２５日に出願された仮特許出願番号６０／２２０６８６の優先権を主張する。その出願は、この引用によって本明細書に組込まれる。
【０００２】
【従来の技術】
携帯電話のような無線通信装置は、多くの場所で通信を確立することができるので便利であるが、レストランや裁判所の庁舎のような会場において迷惑の原因ともなる。さらに、安全やセキュリティの理由のために、携帯電話は、航空機、病院及びセキュア（ｓｅｃｕｒｅ）建物やオフィスで禁止されている。
【０００３】
しかしながら、携帯電話を禁止することは常に行われているわけではなく、携帯電話に入ってくる呼出や、携帯電話から出て行く呼出を阻止するために、所定の空間を遮蔽することは、多くの場合、コスト的に無理である。従来技術では、ノースカロライナのブルーリンクス（Ｂｌｕｅ Ｌｉｎｘ）は、“Ｑゾーン（ＱーＺｏｎｅ）”と呼ばれる製品を宣伝している。前記“Ｑゾーン”装置は、管轄区域内での携帯電話と通信し、かつ、呼出音の音量を下げる。残念ながら、この方法は、これらの通信を受信可能なハードウエアを備えなければならないので、電話装置のメーカーが関わることを必要とする。さらに、この方法では、呼出音ではなく振動によって個人、個人が送受信することができてしまう。
【０００４】
また、従来技術には、携帯電話の存在を検出し、かつ、携帯電話が存在するときにアラームを送信する製品である、モースメディカルインク（Ｍｏｒｓｅ Ｍｅｄｉｃａｌ Ｉｎｃ．）やゼトロン（Ｚｅｔｒｏｎ）の“携帯電話検出プラス”がある。残念ながら、これらの検出システムは、人が携帯電話をオフしていること、すなわち、携帯電話を使用していないことを確実に検出するものではない。
【０００５】
ジャミング（ｊａｍｍｉｎｇ）は、携帯電話または他の無線通信装置の使用を阻止するための他の従来技術である。しかしながら、アメリカ合衆国では、ジャミングは合法的ではない。日本のような他の国々では、携帯電話をジャミングすることは、公衆迷惑の度合いが重大な劇場やコンサートホールで制限されている。従って、ジャミング技術は、一般的に利用されることはない。
【０００６】
イスラエルのネットライン（Ｎｅｔｌｉｎｅ）技術は、効果的に携帯電話信号を“スクランブル”するのに高い放射信号を使用する“ＣーＧｕａｒｄ”製品を開発した。この装置は、また、アメリカ合衆国では合法的ではないものとなっている。他のジャミング装置としては、１９９８年に導入されたメディックインク（Ｍｅｄｉｃ Ｉｎｃ．）の“ウエーブウォール（Ｗａｖｅ Ｗａｌｌ）”製品がある。
【０００７】
バイパーセル（Ｖｉｐｅｒ Ｃｅｌｌ）は、ジェットセル（Ｊｅｔ Ｃｅｌｌ）と呼ばれる会社によって創り出された製品である。シスコシステムズは、近年、ジェットセルを吸収した。バイパーセルは、携帯電話通信をインターネットプロトコル（ボイスーオーバーーＩＰ（ｖｏｉｃｅーｏｖｅｒーＩＰ））に変換し、かつ、イーサネット（登録商標）技術を使用してローカルエリアネットワーク（ＬＡＮ）に接続する。この技術は、従業員が会社のボイスサービスにアクセスするために標準携帯電話を利用可能とし、、かつ、サービスを中断しないで、プライベート会社ネットワーク（ｐｒｉｖａｔｅ ｃｏｒｐｏｒａｔｅ ｎｅｔｗｏｒｋ）と公衆セルラーネットワーク（ｐｕｂｌｉｃ ｃｅｌｌｕｌａｒ ｎｅｔｗｏｒｋｓ）との間をローミングする。この製品は、異なった機能を実行するので、セルーブロックーＲシステムズ（ＣｅｌｌーＢｌｏｃｋーＲ Ｓｙｓｔｅｍｓ）と競合していない。
【０００８】
【発明が解決しようとする課題及び課題を解決するための手段】
それ故に、本発明の目的は、さらに普遍的に許容可能な通信装置介在システム及び方法を提供することである。
【０００９】
本発明のさらに別の目的は、標準携帯電話のハードウエア、または、ソフトウエアに対する修正を必要としないシステムや方法を提供することである。
【００１０】
本発明のさらに別の目的は、携帯電話、または、他の無線通信装置が、着呼を受信するために、または、発呼を送信するために使用できないことを確実に行うシステムや方法を提供することである。
【００１１】
本発明のさらに別の目的は、不法なジャミング技術を含まないシステムや方法を提供することである。
【００１２】
本発明のさらに別の目的は、レストランや他の会場での携帯電話、及び、他の無線通信装置による迷惑を排除するシステムや方法を提供することである。
【００１３】
本発明のさらに別の目的は、安全やセキュリティの理由のために、携帯電話、または、他の無線通信装置が、セキュアな地域、航空機、病院などにおいて、故意に、または、不注意で使用されないことを確実にするシステムや方法を提供することである。
【００１４】
これらの場所では、無線通信装置が制御部によって、ジャミングしないとあらかじめ決められた地域外とは干渉しない。制御部は、無線通信装置を欺いて、隣接のセルラータワーの基地局との通信チャネルを確立していると信じさせるようになっている。本発明は、セキュアな地域、または、いずれかの場所において、携帯電話のような無線通信装置が効果的に制御されることを具体化する。
【００１５】
前記本発明の要旨である制御部は、周囲基地局によって全て受信された送信出力の完全なフィールド強度（ａｂｓｏｌｕｔｅ ｆｉｅｌｄ ｓｔｒｅｎｇｔｈ）を測定し、かつ、基地局によって送信された情報を記録することによって、対応基地局から検出され、最も高く測定された完全なフィールド強度より、さらに大きい完全なフィールド強度を有するように、その送信器のパワーレベルをセットする。そのとき、前記無線通信装置は、前記基地局からの応答を予測するインターフェース信号を送信する。前記制御部は、現実のセルラータワー基地局によって送信される前記信号をまねる前記無線通信装置に向かって信号を送り返す。しかし、前記無線通信装置は、前記制御部がセルタワーであると信じるので、前記制御部は、着呼、または、発呼を防げるように前記無線通信装置を制御することができる。
【００１６】
これは、前記無線通信装置からの他の送信が何も対応周囲基地局に届かないように、前記無線通信装置にその送信パワーをさらに低くするように命令することにより達成される。さらに、前記制御部は、前記無線通信装置に対して、いくつかの対応周囲基地局、及び／または、他の手段によって認識されない周波数で送信することを命令できるようにしてもよい。この場合、無線通信装置は、妨害電波の代わりに妨害され、かつ、制御されるとともに、あらかじめ決められた地域では干渉が発生する。前記ユーザがあらかじめ決められた地域を離れるとき、前記無線通信装置は、前記サービスプロバイダネットワークと通信を確立し、かつ、通常の操作を再開する。
【００１７】
本発明は、無線通信装置と基地局との間に介在する方法を特徴とする。前記方法は、多数の周囲基地局からの送信を走査するために受信器を使用する段階と、全て受信された送信の完全なフィールド強度を測定し、かつ、前記基地局によって送信された情報を記録する段階と、対応基地局から検出され、最も高く測定された完全なフィールド強度よりも大きい完全なフィールド強度を有するように送信器の前記送信パワーレベルをセットする段階と、無線通信装置からインターフェース信号を受信する段階と、及び、前記受信器及び送信器に最も近い前記無線通信装置の使用を阻止するために、前記無線通信装置と周囲基地局との間の代わりに、前記無線通信装置と前記受信器及び送信器との間に通信チャネルを確立することによって前記無線通信装置をその後制御するように前記対応情報を、前記無線通信装置に送信する段階とを具備する。
【００１８】
前記送信する段階は、前記無線通信装置からの他の送信が何も対応周囲基地局に届かないように、前記無線通信装置にその送信パワーを低くするように命令する段階を具備するようにしてもよい。代わりに、または、さらに、前記送信する段階は、前記無線通信装置に対して、いくつかの対応周囲基地局、及び／または、通常の動作を中断する他の手段によって認識されない周波数で送信するように命令する段階を具備するようにしてもよい。付加的な代替として、または、さらに、前記送信する段階は、前記無線通信装置に対して、携帯電話サービスプロバイダとの通常の通信からそれ自身を取り除くための処理を行うように命令する段階を具備するようにしてもよい。
【００１９】
さらに、全てのインターフェース信号の記録、及び、無線通信装置から受信したサービス送信に対する要求を保有する段階、無線通信装置の追跡活動に対する前記記録をポーリングする段階、及び、無線通信装置がサービス送信のために要求を送信するとき、警告を行う段階が具備されるようにしてもよい。
【００２０】
本発明によると、無線通信装置と基地局との間に介在する方法は、一般的に、多数の周囲基地局からの送信を走査するために受信器を使用する段階と、無線通信装置からインターフェース信号を受信する段階と、及び、前記受信器及び送信器に最も近い前記無線通信装置の使用を阻止するために、前記無線通信装置と周囲基地局との間の代わりに、前記無線通信装置と前記受信器及び送信器との間に通信チャネルを確立することによって前記無線通信装置をその後制御するように前記対応情報を、前記無線通信装置に送信する段階とを具備する。
【００２１】
前記通信チャネルを確立する段階は、一般的に、全ての受信された送信の完全なフィールド強度を測定し、かつ、前記基地局によって送信された前記情報を記録する段階を具備する。そのとき、前記送信する段階は、対応基地局から検出され、最も高く測定された完全なフィールド強度よりもさらに大きい完全なフィールド強度を有するように、その送信器の送信パワーレベルをセットする段階を具備する。
【００２２】
本発明によると、通信装置介在システムは、アンテナと、前記アンテナによって受信された送信に応答する受信器と、及び、制御モジュールとを具備する。前記制御モジュールは、前記送信器に接続された前記受信器に応答し、周囲基地局から前記受信器によって検出され、全て受信された送信の前記完全なフィールド強度を測定し、前記周囲基地局によって送信された前記情報を記録し、対応基地局から検出され、最も高く測定された完全なフィールド強度よりさらに大きい完全なフィールド強度を有するように、その送信器の送信パワーレベルをセットし、前記受信器に最も近く、あらかじめ決められた地域における無線通信装置から前記送信器によって受信されたインターフェース信号を検出し、かつ、前記システムが前記あらかじめ決められた地域での前記無線通信装置の使用を防止するように、前記セットした完全なフィールド強度で、前記無線通信装置への前記対応情報の送信を行う。
【００２３】
前記制御モジュールは、さらに、前記無線通信装置からの送信が何も対応周囲基地局に届かないように、前記無線通信装置に対して、その送信パワーを低くするように命令する信号を、前記無線通信装置へ送信するような構成にされていてもよい。代わりに、または、さらに、前記制御モジュールは、前記無線通信装置に対して、いくつかの対応周囲基地局、他の手段によって認識されない周波数で送信するように命令する信号を、前記無線通信装置に送信するような構成にされていてもよい。付加的な代替として、または、さらに、前記送信する段階は、前記無線通信装置に対して、携帯電話サービスプロバイダとの通常の通信からそれ自身を取り除くことを行うように命令する段階を具備するようにしてもよい。ある実施形態では、前記制御モジュールは、全てのインターフェース信号、及び、無線通信装置から受信されたサービス送信に対する要求を記録するような構成とされる。そのとき、遠隔管理部は、無線通信装置の追跡活動に対して、制御モジュールの選択されたグループの記録をポーリングするような構成とされる。さらに、前記遠隔管理部に応答するシステムコンピュータが具備され、かつ、無線通信装置がサービス送信に対する要求を送信するとき、警告を行うような構成とされてもよい。
【００２４】
本発明によると、１つの通信装置介在システムは、アンテナと、前記アンテナによって受信された送信に応答する受信器と、送信器と、及び、前記受信器に応答し、かつ、前記送信器に接続された制御モジュールとを具備する。前記制御モジュールは、前記周囲基地局によって送信された前記情報を記録し、前記受信器に最も近く、あらかじめ決められた地域における無線通信装置から前記受信器によって受信されたインターフェース信号を検出し、かつ、前記システムが前記あらかじめ決められた地域での前記無線通信装置の使用を防止するように、前記無線通信装置に前記対応情報を送信する。
【００２５】
前記送信器は、適応可能なパワーレベルを有し、前記制御モジュールは、前記周囲基地局から前記受信器によって検出された全ての受信された送信の前記完全なフィールド強度を測定するように構成され、かつ、さらに、対応基地局から検出され、最も高く測定された完全なフィールド強度よりさらに大きい完全なフィールド強度を有するように、前記送信器の送信パワーレベルをセットするように構成される。そのとき、前記制御モジュールは、前記セットされた完全なフィールド強度で送信するように構成される。
【００２６】
安全なシステムにおいて、アンテナ、前記アンテナによって受信された送信に応答する受信器、適応可能なパワーレベルを有する送信器、かつ、前記受信器に応答し、前記送信器に接続された制御モジュールをそれぞれ有する多数の制御部であるとしてもよい。各制御部の前記制御モジュールは、周囲基地局から前記受信器によって検出され、受信された送信の前記完全なフィールド強度を測定し、前記周囲基地局によって送信された前記情報を記録し、対応基地局から検出され、最も高く測定された完全なフィールド強度よりさらに大きい完全なフィールド強度を有するように、前記送信器の送信パワーレベルをセットし、前記受信器に最も近く、あらかじめ決められた地域における無線通信装置から前記受信器によって受信されたインターフェース信号を検出、及び、記録し、かつ、前記システムが前記あらかじめ決められた地域での前記無線通信装置の使用を阻止するように、前記セットされた完全なフィールド強度で前記無線通信装置へ前記対応情報を送信する。そのとき、遠隔管理部は、前記無線通信装置の追跡活動に対して、前記制御部の記録をポーリングするために、多数の制御部とリンクされ、かつ、システムコンピュータは、前記無線通信装置がサービス送信も対する要求を送信するとき、警告を行うために、前記遠隔管理部に応答する。前記遠隔管理部は、ＡＣパワーラインを介して多数の制御部にリンクされるようにしてもよい。一般的に、前記制御部のサブセットにそれぞれリンクされた多数の遠隔管理部があり、かつ、前記システムコンピュータは、前記多数の遠隔管理部にリンクされている。
【発明の実施の形態】
【００２７】
一般的な携帯電話システムは、図１で“セル”１０と呼ばれる多くの小さいサービス地域で構成される。前記システムは、一般的に、図１に示すような六角形のハチの巣パターンのセルで表され、かつ、基地局１２は、一般的に各セルにサービスする。
【００２８】
各基地局は、セルに割り当てられたチャネルのために、送信器、受信器、及び、関連付けられた制御装置を具備している。通常、全てのセルがそのセルラーシステムに割り当てられた全ての周波数を使用するわけではない。
【００２９】
図２で中央制御サイト２０は、前記ローカルセルラーシステムの総体的な制御に対する責任を負うものであり、かつ、個々の電話と前記基地局との間の全ての相互作用を統合する。前記中央制御サイトは、そのシステム内の全ての前記基地局と通信し、かつ、前記領域ラインネットワーク、マイクロ波リンク、または、それら２つの組み合わせとのインターフェースを取り扱う。セルラーシステムは、割り当てられた複数のチャネルまたは複数の周波数にわたって、送信、及び、受信する。これらのチャネルは、制御チャネル及び音声チャネルの２つの一般的なカテゴリに分けられる。
【００３０】
制御チャネルは、デジタルだけであり、フォワード制御、ページング、アクセス、かつ、制御及びデータ送信のために使用される。フォワード制御チャネルは、前記識別番号、及び、使用可能なチャネルの範囲のような、前記特別なセルラーシステムについての基本情報を提供するとともに、前記携帯電話がページング及びアクセスチャネルを見つけ出すために走査することができる。ページングチャネルは、使用していない携帯電話のためにノーマルホールディング（ｎｏｒｍａｌ ｈｏｌｄｉｎｇ）周波数となっている。呼出が中央制御サイトにおいて受信されると、前記ページング信号がページングチャネルにおいて発生する。呼出が始まると、前記アクセスチャネルがページに応答し、または、前記携帯電話は、２つの方法のデータ送信が前記初めの音声チャネルを決定するのために発生するアクセスチャネルを使用する。制御、及び、データ送信は、セルハンドオフ、携帯電話上の出力パワー制御、及び、特別なローカル制御機能に対してセルに影響を与えるように使用される前記デジタル信号である。
【００３１】
図３で携帯電話３０の電源がオンされると、その携帯電話がどこにあり、かつ、どの基地局が利用可能かどうかが調べられる。それは、前記携帯電話と、利用できる前記ハチの巣システム内の前記様々なセルとを識別するディジタルオンリー情報を運ぶ“ピン（ｐｉｎｇｓ）”または“インターフェース信号”を、送信及び、受信することによってこれが実行される。前記携帯電話によって受信される前記基地局信号の強度は、前記現実の信号強度、前記２つの間の距離、及び、前記周囲環境の関数である。
【００３２】
前記携帯電話がそのインターフェース信号を送信すると、前記携帯電話の前記範囲内の全ての基地局１２は、識別情報を含む信号を受信する。次いで、前記インターフェース信号を受信する前記基地局の各々は、図４に示すように、前記携帯電話に応答を送信する。
【００３３】
前記応答信号が前記基地局から受信されると、前記携帯電話は、前記信号の前記関連するフィールド強度を測定することができる。最も強い信号を持った前記局は、最もクリアな通信チャネルを供給するように思われる。一度、前記携帯電話は、基地局が最も強い信号を有するかということを確立すると、通常、次の通信と通信する。
【００３４】
本発明の図５で通信装置介在システム５０は、まるでシステム５０が現実的に基地局であるかのように、携帯電話３０の前記インターフェース信号に応答するようプログラムされている。携帯電話３０が装置５０に十分近づいている場合、装置５０の前記応答信号は、前記携帯電話によって受信された最も強い信号となる。一度、携帯電話３０が前記制御基地局として装置５０を認めると、装置５０と携帯電話３０は、そのとき通信プロトコルで接続可能であり、かつ、携帯電話３０が装置５０の有効な地域内である限り動作を続行する。この有効な地域は、数フィートの半径から数ヤードまで適応させることができる。
【００３５】
装置５０の地域内の全ての基地局１２の完全なフィールド強度を測定すること、及び、前記基地局によって送信された前記情報を記録することによって、装置５０の前記送信器の前記送信パワーレベルは、対応基地局１２から検出され、前記最も高く測定された完全なフィールド強度よりさらに大きい完全なフィールド強度を有するようにセットされる。次いで、前記インターフェース信号が携帯電話３０のような無線通信装置から受信されると、装置５０は、それに対して、装置５０の前記受信器及び送信器に最も近い携帯電話３０の前記使用を阻止するために、携帯電話３０と周囲基地局１２との間の代わりに、前記無線通信装置（例えば、携帯電話３０）と装置５０の前記受信器及び送信器との間に、通信チャネルを確立することによって、前記無線通信装置を制御するための前記適切な情報を送信する。
【００３６】
図６に示すように、装置５０は、レストランの天井、または、セキュアな地域、または、携帯電話の使用が望まれていない、または、禁止されているいずれかの場所に設けられる。
【００３７】
発明の要旨である前記方法の前記最初の段階は、図７に示される。段階７０では、装置５０の前記受信器は、多数の周囲基地局からの送信に対して走査をするために使用される。次いで、段階７２で制御モジュールは、全ての前記受信された送信の前記完全なフィールド強度を測定し、かつ、前記周囲基地局によって送信された前記情報を記録する。次いで、段階７４では、装置５０の前記送信器の前記送信パワーレベルが、対応基地局１２から検出され、最も高く測定された完全なフィールド強度よりさらに大きい完全なフィールド強度を有するように、セットされる。
【００３８】
一度、前記装置がそのように初期化されると、前記送信器は、図８の段階８０で、それに接近するいくつかの無線通信装置からインターフェース信号を受信する。段階８２では、前記適当な情報は、前記受信器及び送信器に最も近い前記無線通信装置の使用を阻止するために、前記無線通信装置と周囲基地局との間の代わりに、図５−７の前記無線通信装置と装置５０の前記受信器、及び、送信器との間に、通信チャネルを確立することによって、それをその後制御するために、前記無線通信装置に送信される。
【００３９】
一例として、図８の段階８４で、前記無線通信装置からの送信がいくつかの周囲基地局に届かないように、本発明の前記システムは、前記無線通信装置に対して、その送信パワーを最も低い設定へ、低くするよう命令する。他の例では、段階８６で、前記無線通信装置は、いくつかの対応周囲基地局によって認識されない周波数で送信するように命令される。また、段階９０で、セキュリティ対策のために、インターフェース信号が無線通信装置から受信されるといつでも、その情報は、段階８８で格納され、かつ、記録され、及び／または、段階９０で警告が鳴らされる。ある実施形態では、所与の設備のいたるところに、多数の通信装置介在制御部がある。段階９２で示されるように、各部の記録をポーリングすることによって、セキュアな地域で携帯電話を間違って使用しようとする人は、付加的な方法を使用して突き止められる。
【００４０】
図９で装置５０は、アンテナ１００、及び、ＲＦモジュール１０２を具備する。ＲＦモジュール１０２それ自体は、アンテナ１００によって受信された送信に対して応答する受信器と、調整可能なパワーレベルを有する送信器とを具備する。図１５のマイクロコントローラ２４０で実現できる制御モジュール１０４、及び、消去可能でプログラム可能な論理装置（ＥＰＬＤ）は、ＲＦモジュール１０２の前記受信器に応答し、かつ、ＲＦモジュール１０２の前記送信器に接続する。また、ＲＦモジュール１０２は、周囲基地局から検出され、全て受信された送信の前記完全なフィールド強度を測定するようにプログラムされるか、または、さもなければ構成される。制御モジュール１０４は、前記周囲基地局がメモリ１０６にその情報を格納することによって、送信された前記情報を記録する。
【００４１】
制御モジュール１０４は、また、対応周囲基地局から検出され、最も高く測定された完全なフィールド強度よりさらに大きい完全なフィールド強度を有するように、ＲＦモジュール１０２の前記送信者の前記送信パワーレベルをセットする。次に、ＲＦモジュール１０２の前記受信器に応答する制御モジュール１０４は、アンテナ１００に最も近く、あらかじめ決められた地域で無線通信装置から前記受信器によって受信されたインターフェース信号を検出することができる。そして、前記システムがあらかじめ決められた地域で前記無線通信装置の前記使用を阻止するように、制御モジュール１０４は、ＲＦモジュール１０２の前記送信器に、前記セットされた完全なフィールド強度で、前記対応情報を前記無線通信装置に送信するようにさせる。前記無線通信装置からのより遅い送信がいくつかの対応周囲基地局に届かないように、制御モジュール１０４は、前記無線通信装置の前記送信パワーを低くする前記無線通信装置へ送信することをプログラムされるか、または、さもなければ構成される。
【００４２】
制御モジュール１０４は、変形例として、または、追加例として、前記無線通信装置に対して、いくつかの対応周囲基地局によって認識されない周波数で送信するように命令する信号を、前記通信装置に送信するように構成してもよい。制御モジュール１０４は、変形例として、または、追加例として、前記ネットワークから前記無線通信装置を取り去るのと同じ効果を有する他のシーケンスの命令を始めるように前記無線通信装置へ命令する信号を、前記無線通信装置に送信するように構成してもよい。
【００４３】
図９の装置、すなわち、制御部５０は、前記携帯電話が通常のセルラーサービスを確立しないように、その有効な制御範囲内で前記携帯電話と通信をするように使用される低パワー送信器／受信器を具備する。制御部５０は、前記携帯電話に対して、その有効な制御範囲内で、その送信パワーを最小レベルに低下するように、または、入ってくる呼出が受信されず、そこから出て行く呼出が実行できないような周波数で待機するように、または、前記携帯電話が動作しないか、通常の呼出を実行することができないような他の動作をするように命令する。
【００４４】
前記携帯電話が制御部５０の前記管轄区域内であるとき、制御部５０の前記影響の外部で接続されている前記通常の（外部の）セルラーシステムが“オン”となるようなことは考慮されない。それゆえに、前記携帯電話によって受信可能となってきたいくつかの呼出、または、メッセージは、まるで前記携帯電話が電源オフとされているかのように、前記通常のセルラーシステムによって処理されることになる。
【００４５】
前記携帯電話が制御部５０の前記管轄区域内であり、かつ、“オン”とされているとき、利用可能なサービスがないことを示すメッセージを表示するようにしてもよい。そのような“オン”装置は、日付及び時間とともにメモリ１０６に記録された識別子（ｉｄｅｎｔｉｔｙ）を有する。出て行く呼出要求があっても、制御部１０４によって無視され、かつ、制御部５０の前記制御範囲内において、入ってくる前に接続された前記通常のセルラーシステムによって無視される。それゆえに、これらの出て行く呼出は阻止される（ｗｉｌｌ ｎｏｔ ｂｅ ｐｌａｃｅｄ）。さらには、発呼がなされる場合、制御部５０は、以下で説明する遠隔管理部に、すぐに警告メッセージを送信するようにプログラムされることができる。この機能は、本発明の前記システムのセキュアバージョンで実行される。
【００４６】
次に、前記遠隔管理部は、適切に前記システムがインストールされる前記設備の前記パワー主要部を越えて、ネットワークプロトコルを利用する前記個々の制御部と通信する。前記遠隔制御部は、それらが適切に全て動作していることを確実にするために、前記制御部に定期的にポーリングするようにしてもよい。前記遠隔管理部は、また、メモリーダンプ、クリアメモリシーケンスの活性化のために前記制御部をポーリングすることができ、かつ、セキュリティが破られた場合、制御部によって送信されたいくつかの警告も受信する。１つまたはそれ以上の遠隔管理部は、統合された大きなセキュリティシステムにおいてパーソナルコンピュータに接続することもできる。前記システムの前記パーソナルコンピュータは、本発明の前記システムによって表された前記データを操作し、利用するために、特定の設置サイトに合わされたソフトウエアを含んでいる。
【００４７】
制御部５０は、さらに、制御部５０の前記他のモジュールにパワーを供給するＡＣ／ＤＣ変換器であるパワーモジュール１０８を具備する。ＣＵ通信モジュール１１０によって、制御部５０は発明の要旨である他のサブシステムとのパワーライン通信を介して通信することが可能になる。ＡＣパワー検出モジュール１１２は、制御部５０が認めない使用を阻止する。安全モジュール１１４は、制御部５０の安全な実行のために具備するようにしてもよい。ユニーク識別モジュール（ＵＩＤ）１１６は、特別な制御部に対する前記識別情報を格納する機能を果たすＥＰＲＯＭを具備してもよい。プロトコルモジュール１１８は、前記適切な時分割多重接続（ＴＤＭＡ）、符号分割多重接続（ＣＤＭＡ）、または周囲基地局、及び携帯電話またはアンテナ１００に最も近い他の無線通信装置によって送信された他のタイプの信号フォーマットを記録するように要求されたプログラミング、及び／または、電子回路を含む。
【００４８】
ＲＦモジュール１０２は、前記携帯電話と制御モジュール１０４との間で情報を送信し、かつ、受信する。ＲＦモジュール１０２は、制御モジュール１０４によって制御される。ＲＦモジュール１０２は、前記携帯電話周波数範囲でＲＦ信号を送信及び受信するという２つの異なる機能を有する。また、ＲＦモジュール１０２は、自動化されたセルフテスト手順を有してもよい。図１０でさらに詳細に示すように、ＲＦモジュール１０２は、増幅器サブモジュール１３０及び送信／受信（ＴＲＸ）サブモジュール１３２の２つの主要なサブモジュールで実行される。増幅器サブモジュール１３０は、マルチ搬送波（キャリヤ）パワー増幅器（ＭＣＰＡ）１３４、ローノイズ増幅器（ＬＮＡ）１３６及びアナログデジタル変換器（ＡＤＣ）を具備する。ＭＣＰＡ１３４は、異なる携帯電話周波数にわたって送信するように設計され、商業的に利用可能なコンポーネントである。これらの周波数は、新しい周波数帯域が商業的な免許に対して利用可能とされるときに変化する。また、ＭＣＰＡ１３４は、許容できる最大送信レベルに対して、前記ＡＦＣＣ、及び、前記ＣＲＴＣによって上述した前記ガイドラインに沿うように実行される。また、ＭＣＰＡ１３４は、制御モジュール１０４によって制御される種々のプログラム可能な利得を有する。種々のＭＣＰＡ１３４の前記種々の利得本質は、近くのセルタワー基地局によって出されたノイズレベルを抑え、かつ、本発明の前記システムの前記動作範囲が前記特定のターゲット範囲内であることを保証することを必要とする。
【００４９】
ＬＮＡ１３６は、信号対ノイズ比を大きく下げずに、かつ、要望されていない相互変調積を発生する前記信号利得での非直線性を導入せずに、弱く入ってくるＲＦ信号の前記レベルを増強する。ＡＤＣ１３８は、回路内で後にフィルタに通され、かつ、復号されるように、入ってくるＲＦ信号をデジタル時間ドメイン信号に変換する。ＴＲＸサブモジュール１３２は、ラジオ−周波数送信器（ＲＦＴＸ１４０）、アナログデジタル変換器（ＡＤＣ１４２）、デジタルダウン変換器（ＤＤＣ１４４）、デジタルフィルタリング電子回路１４６、ラジオー周波数送信器（ＲＦＴＸ１４８）、デジタルアナログ変換器（ＤＡＣ１５０）及び制御／プロトコルモジュールインターフェース電子回路１５２のような６つの主要なコンポーネントを具備する。
【００５０】
ＲＦＲＸ１４０は、前記携帯電話周波数帯域内で周波数を受信可能なＲＦ受信器である。ＲＦＲＸ１４０は、受信されたＲＦ信号を復調し、かつ、前記携帯電話によって最初に送信された前記ベースバンド信号を出力する。ＡＤＣ１４２は、回路内で後ほどフィルタに通され、かつ、復号されるように、前記入ってくるベースバンド信号をデジタル時間ドメイン信号に変換する。
【００５１】
ＤＤＣ１４４は、前記システムの前記管轄区域内で携帯電話から制御信号を受信、同調、及び、追跡（ｔｒａｃｋｉｎｇ）可能なデジタル受信器である。ＤＤＣ１４４は、まず、前記携帯電話周波数帯域から、搬送波の全体のスペクトラムをデジタル化する。そのとき、デジタル的に興味（ｉｎｔｅｒｅｓｔ）、同調、及び、それを追跡する前記搬送波を選択する。ＤＤＣ１４４は、また、受信された信号プロセッサ（ＲＳＰ）の前記使用を介してフィルタリングするような他の特徴を有している。前記チャネルの同調後、ＤＤＣ１４４は、前記ＲＳＰとともに興味の前記チャネル上で望まれていない信号や雑音を取り除くことによってフィルタリングを行う。
【００５２】
フィルタリング電子回路１４６は、入ってくる信号をフィルタするために使用されるデジタル信号プロセッサを具備する。フィルタリング電子回路１４６の前記デジタル信号プロセッサは、また、前記信号が前記電子回路において、さらに復号及び解釈されるように、誤訂正、及び、相互相関を実行する。ＲＦＴＸ１４８は、前記携帯電話制御信号の前記周波数帯域で送信可能なＲＦ送信器である。ＲＦＴＸ１４８は、内部に発生された搬送波信号から前記ＲＦ変調を実行する。ＤＡＣ１５０は、出てくるデジタル信号を、ＲＦＴＸ１４８に対する中間的な変調段階のようなアナログ位相シフトキー（ＰＳＫ）信号に変換する。デジタルアップ変換器、すなわち、ＤＵＣ１５１は、変調に先立って前記ベースバンド信号に対する前記デジタル信号の変換の最初の段階である。ＤＵＣ１５１は、信号で周期的な冗長チェック（ＣＲＣ）誤訂正を実行し、かつ、ＰＳＫアナログ信号に対する変換に先立って前記信号の前記帯域幅を増加する。ＲＦプロトコルモジュールインターフェース１５２は、前記適切な範囲でデータ受信可能ないくつかのトランシーバーを具備する。
【００５３】
図９と図１０のプロトコルモジュール１１８は、図１１でさらに詳細に示される。プロトコルモジュール１１８は、一般的に、図９の装置５０と前記携帯電話との間で特別化された通信を実行する機能を果たす。プロトコルモジュール１１８は、種々の通信無線プロトコルを使用する情報を解読し、かつ、符号化する。デジタル受信器１６０は、信号がプロトコルモジュール１１８の前記残りによって、後に読まれ、かつ、操作されるように、ＲＦ／プロトコルモジュールインターフェース１５２から前記信号を受信し、かつ、前記適切なデジタル形式に変換する。
【００５４】
プロトコル選別器（ＰＳ）１６２は、前記携帯電話が通信するためにどのプロトコルを使用するかを決定するために、前記携帯電話の最初のインターフェース信号の間で利用される。次に、ＰＳ１６２は、それらの復号、及び、介在ルーチンでどのプロトコルを使用するかを決定するために、信号インタープリター（ＳＩ）１６４、及び、他のサブモジュールによって使用されるレジスタに対応ビットを置く。前記制御サブモジュール１６８が信号に応答できるように、信号インタープリター１６４は、デジタル受信器１６０から前記デジタル情報を受信し、使用する適切なプロトコルのためにプロトコルレジスタ（ＰＲ）をチェックし、次いで前記信号を解読する。デジタル送信器１７０は、制御モジュール１６８からの出力を受け取り、それをＲＦモジュール１０２で送信可能なフォーマットに翻訳する。デジタル信号プロセッサで実行されるフィードバック回路１７２は、図９のアンテナ１００から送信された前記信号、及び、ひずみを抑えるために独自の信号を比較する。次いで、ひずみがある場合、フィードバック回路１７２は、前記送信された信号での前記ひずみを訂正するために様々なフィルタを実行する。
【００５５】
それゆえに、フィードバック回路１７２は，最初のセットアップ中に、及び、前記発明の要旨である前記システムの前記操作のセルフテスト段階で使用される。制御サブモジュール１６８は、信号インタープリター１６４から前記解釈された信号を受信する。そのとき、制御サブモジュール１６８は、応答で使用するためのプロトコルが何であるかを認識するために、プロトコルレジスタ１６６をチェックする。制御モジュール１６８は、そのとき、前記携帯電話のＰＩＤ及び他の情報を抜き出すために、及び、制御モジュールインターフェース１８６にそれを送信するためにプログラム化される。制御サブモジュール１６８は、そのとき、前記携帯電話に戻すように送信する図１５のマイクローコントローラ２４０から割り当てられた周波数を受信する。制御サブモジュール１６８は、また、要求される他のプロトコル通信と同様に、パワーダウンまたはスリープモードにスイッチするために、前記携帯電話にシグナリングする役割を持っている。
【００５６】
ＡＭＰＳサブモジュール１８０は、前記ＡＭＰＳプロトコル機能を解読し、かつ、符号化し、かつ、前記携帯電話が適切に解釈できる通信信号を供給するための制御サブモジュール１６８に応答する。ＴＤＭＡサブモジュール１８２は、全てのＴＤＭＡプロトコル及び機能を解読し、かつ、符号化する。ＣＤＭＡ、ＧＭＳなどに限られず、携帯電話干渉のために他のプロトコルが必要とされるとき、図１１で“他”と呼ばれるサブモジュール１８４は、ＡＭＰＳサブモジュール１８０及びＴＤＭＡサブモジュール１８２と同様の方法で機能を果たし、かつ、実行される。制御／プロトコルモジュールインターフェース１８６は、前記装置によって送信される前記情報を組み立てることによって、出て行く信号が前記適切なプロトコルに従うことを保証する機能を果たす。インターフェース１８６は、また、入ってくる信号が前記インターフェースプロトコルに従うことを保証し、かつ、前記適切な出力バッファに信号パケットを割り当てる。プロトコルレジスタ１６６は、適切なプロトコル信号を決定するために、前記通信手順を介して使用されるような適切なプロトコルに対応する前記レジスタをセット、及び、リセットする。
【００５７】
ＵＩＤモジュール１１６は、図１２でさらに詳細に示される。ＵＩＤモジュール１１６は、変化できない前記独自の８ビット識別子でプログラムされたＰＲＯＭ２００を具備している。図９のＣＵ−Ｓセキュアモジュール１１４は、図１３でさらに詳細に示される。モジュール１１４は、警告を鳴らす、及び、特徴を記録するというようなセキュア機能を実行し、かつ、ランダムアクセスメモリ２０８に携帯電話ＵＩＤを格納することができる。セキュアモジュール１１４は、また、警告電子回路２１０を実行し、かつ、所定の状況で前記制御ＡＣパワー検出モジュール１１２を管理する。セキュアモジュール１１４は、機能的なサブモジュール２１０，２０８及びＡＣパワー検出サブモジュール２１２を具備するために、マイクローコントローラで実行することができる。
【００５８】
警告サブモジュール２１０は、前記システムのセキュリティが破られた場合、警告を発生し、かつ、例えば、携帯電話が出て行く呼出を送信しようとするとき、または、ビルトインテスト（ｂｕｉｌｔ ｉｎ ｔｅｓｔ）または周期的なビルトインテストの失敗がある場合、警告を許可する前記接続を確立する。メモリ機能的なブロック２０８は、前記携帯電話のＰＩＤ、それが前記システムの前記管轄区域に入った時間、それが前記システムの前記管轄区域を出た時間、及び、同じ管轄区域への複数の出入があった場合のような情報を含む携帯電話からのイベントと送信を記録する。前記発明の要旨であるセキュアシステムの実施形態で機能しているとき、ＡＣパワー検出サブモジュール２１２は、ＡＣパワー検出モジュール１１２を制御し、かつ、管理する。サブモジュール２１２は、前述した前記遠隔管理部によって送信される同じ信号をＡＣパワー検出モジュール１１２に送信し、かつ、暗号化する。
【００５９】
図１４でさらに詳細に示されるＣＵ通信モジュール１１０は、前述した前記遠隔管理部と、前記発明の要旨である各個々の装置５０との間で情報を送受信する役割を担っている。モジュール１１０は、ネットワークプロトコルオーバーパワーメインズ（ＮＰＯＰＭ）信号プロトコルを使用する前記パワーライン上で通信する。モジュール１１０の前記主要なコンポーネントは、インテロン（Ｉｎｔｅｌｏｎ）社からのパワーパケット技術、または、同様な機能を実行する他のメーカからの同様な装置である。一例として、前記インテロンＳＳＣＰ３００ＰＬネットワークインターフェースコントローラは、ＣＥバス標準互換製品を実行するために、パワーライントランシーバーとチャネルアクセスインターフェースを高度に統合したものである。前記ＳＳＣＰ３００は、通信サービスでのＥＩＡー６００チャネルアクセスに対するデータリンク層（ＤＬＬ）制御ロジック、拡散スペクトラムキャリヤ（ＳＳＣ）パワーライントランシーバー、電子回路を調整する信号、及び、ＳＰＩ互換性のあるホストインターフェースを有する。
【００６０】
前記ホストマイクローコントローラは、コマンドを解釈し、かつ、ｅｎｄ−ｔｏ−ｅｎｄプロトコル機能を実行する。出力信号増幅・フィルタリング、入力信号フィルタリング、及び前記パワーラインに連結するノードは、外部のコンポーネントを使用することで達成される。前記ホストシステムに対する前記ＳＳＣＰ３００インターフェースは、５つのＩ／Ｏラインを使用することでシリアル周辺インターフェース（ＳＰＩ）を介してサポートされる。ハードウエア、アクティブロー、リセット（ＲＳＴ＊）信号は、また、前記ホストシステムによって供給される。前記プロトコルは、前記ホストと前記ＳＳＣＰ３００との間で、コマンド及びデータを送信するのに使用される。これらのコマンドとデータは、送信されるパケット、受信されるパケット、状態、及び、構成情報を具備する。
【００６１】
アナログデータは、信号入力（ＳｉｇＩ）ピン及び信号出力（ＳｉｇＯ）ピンを通って、前記ＡＣパワーラインと前記ＳＳＣＰ３００との間で送信される。送信モードにおいて、前記ＳＳＣＰ３００ＳＯピンからの前記ＳＳＣ“ｃｈｉｒｐｓ”は、前記ＳＳＣＰ３００トリステイト（ｔｒｉ ｓｔａｔｅ）（ＴＳ）信号によって動作する前記出力増幅器にルーティングされる。一度増幅されると、前記出力信号は、前記送信信号から、及び、前記トリステイトスイッチの上の調和的なエネルギー（ひずみ）を取り除くローパス出力フィルタを通過する。このスイッチは、また、前記ＳＳＣＰ３００ＴＳ信号によって動作し、かつ、受信処理の間、前記パワーライン接続回路から前記増幅器と、フィルタとを分離する機能を持っている。前記トリステイトスイッチが動作すると、前記パワーライン通信信号は、前記パワーライン接続回路を通して、前記６８Ｚパワーラインにルーティングされる。
【００６２】
ＣＣＯＭＭの前記ライン接続セクション２２０は、ハイパス、環状体の接続トランスを使用する前記ＡＣ主要部に前記ＣＵを結合する。プレーフィルタセクション２２２は、前記パワーライン上で増幅、及び、送信される前記ノイズを最小化するために、アンプセクション２２４に前記入力信号をフィルタにかける。コスト及び実際の回路ボードを節約するために現在の装置に空間がある場合、フィルタ２２２は、ＤＳＰで実行される。入力フィルタ２２６は、図１４のインテロンパワーポケット技術２２３に前記“ｃｈｉｒｐ”周波数を通すバンドパスフィルタ（１００から４００ｋＨｚ）を具備する。また、入力フィルタ２２６は、余地があればＤＳＰで実行される。
【００６３】
図９のパワーモジュール１０８は、制御モジュール１０４の前記電気的なコンポーネントを動作させるために、ＡＣライン電圧を必要なＤＣ電圧に変換する。パワーモジュール１０８は、また、制御モジュール１０４に信号を送り、かつ、ＡＣパワーラインに適切に接続されない場合、前記装置を使用できないようにする。
【００６４】
図９の制御モジュール１０４のさらに詳細な記載は、図１５に示される。制御モジュール１０４は、遠隔管理部に接続されるときの実行コマンドと同様に、他のサブモジュールに命令することができる。制御モジュール１０４は、マイクロコントローラ２４０及びＥＰＬＤを具備する。制御モジュール２４０には、干渉を阻止するセキュリティ遮断機能と、セキュリティ機能を検出する遠隔管理部と、ビルトインテスト（ＢＩＴ）及びＰＢＩＴを介して、間違え検出を制御するための機能とがプログラムされている。制御モジュール１０４は、７つの外部サブモジュール、及び、２つの内部サブモジュールとを使用して実行される。サブモジュールのメインコンポーネントは、マイクロコントローラ２４０である。制御／パワーモジュールインターフェース２６０は、前記ＤＣパワーレール（ｒａｉｌ）を監視し、セキュリティを実行し、監視し、かつ、パワー供給セクションでＢＩＴを実行する。制御／ＣＵ通信モジュール（ＣＵＣＯＭＭ）インターフェース２６２は、これら２つのモジュールの間での適切な通信の役割を担う。制御／ＡＣパワー検出モジュールインターフェース２６４は、ＣＵＣＯＭＭモジュール１１０とＡＣパワー検出モジュール１１２とを介して、前記遠隔管理部と制御モジュール１０４との間での通信を許可するのに使用される。
【００６５】
インターフェース２６４は、前記遠隔管理部が前記装置を動作させるために存在することを確実にするために、符号化された信号が通過するのを許可する。制御／ＣＵ−Ｓセキュアモジュールインターフェース２６６は、ＣＵ−Ｓセキュアモジュール１１４にマイクロコントローラ２４０を接続することを許可する。制御／ＵＩＤモジュールインターフェース２６８は、マイクロコントローラ２４０と、上述したようなそれ自身の独自の識別子を有することを各装置に許可するＵＩＤモジュールとの間に、インターフェースを有する。制御／プロトコルモジュールインターフェース２７０は、前記マイクロコントローラ２４０が前記ＤＳＰ及びＥＰＬＤ機能を制御できるようにし、かつ、パワーを循環すること、ビルトインセキュリティ機能を実行すること、及び、前記装置でのＢＩＴとＰＢＩＴＳを実行することをマイクロコントローラ２４０に許可する。
【００６６】
制御／ＲＦモジュールインターフェース２７２は、マイクロコントローラ２４０にＲＦモジュール１０２の不可欠なコンポーネントの制御を許可し、かつ、また、前記遠隔管理部がセキュアバージョンの部分を除いて、遠隔管理部の存在なしでの前記遠隔処理部の処理を阻止するために検出されない場合、装置の即時シャットダウンを許可する。制御モジュール１０４の前記内部サブーセクションは、全てのＢＩＴの監視、及び、開始に対する役割を担うセルフテストサブセクション２８０を具備する。モジュール２８０は、個々の装置の誤動作の場合、適切な遠隔管理部に通知する。サブモジュール２８０は、マイクロコントローラ２４０内部の前記ソフトウエアで実行される。この遠隔管理部が実行するＢＩＴ及びＰＢＩＴの例としては、登録探査、基地局パワーテスト及びＴＲＸ機能がある。
【００６７】
ＣＵ制御サブモジュール２８２は、マイクロコントローラ２４０のソフトウエアで実行され、かつ、パワー供給制御及び監視、ネットワーク制御・通信及び監視・ＣＵ−Ｓモジュール制御・監視・警告状況及びＲＦＭ制御、ＰＭ制御及び監視、ＤＳＰ・ＥＰＬＤ実行命令・制御、及びパワーアップ・循環を行う。
【００６８】
図１６の各制御部５０は、受信アンテナ１００’と送信アンテナ１００’’と、ハウジング４００とを有し、ハウジング４００は、パワーと通信インターフェイシングのための開口部４０２を有するとともに、また、図９で示した種々のモジュールを囲み、かつ、保護している。
【００６９】
上述したように、与えられた設備において、それ自身をセキュリティシステムコンピュータ５０２に接続する図１７の遠隔管理部（ＲＭＵ）５００の制御下に、多数の制御部５０ａ〜ｈがあるようにしてもよい。遠隔管理部５００は、一般的に、いくつかの与えられた設備内で、無線通信装置の動きを追跡するために、選択された制御モジュール５０ａ〜ｈの記録をポーリングするように構成される。セキュリティシステムコンピュータ５０２は、１つまたはそれ以上の遠隔管理部５００に応答し、かつ、無線通信装置がサービス送信に対する要求を送信するとき、警告を行うように構成される。
【００７０】
図１７の遠隔管理部５００は、図１８でさらに詳細に示され、かつ、パワーモジュール５０４、ＰＣインターフェース５０６、制御モジュール５０８、及び、通信モジュール５１０を具備する。通信モジュール５１０は、遠隔管理部５００と、図１７の各個々の制御部５０ａ〜ｈとの間での情報を送受信する役割を持っている。通信モジュール５１０は、セキュア通信を供給するネットワークプロトコルを使用する前記パワーライン上で通信する。遠隔管理部５００の通信モジュール５１０は、多くの方法の点で、個々の制御部５０の図９の通信モジュール１１０と同様である。
【００７１】
図１８のＰＣインターフェースモジュール５０６は、個々の制御部５０ａ〜ｈから受信したデータを、前記遠隔管理部が、すでに存在しているか、または、専用のネットワーク上で、図１７のセキュリティシステムコンピュータに送信するのに使用可能な信号に変換する。与えられた顧客が他のタイプのＰＣ通信オプションを要求する場合、ＰＣインターフェースサブモジュール５０６は、セキュリティ通信及び図１７のホストコンピュータ５０２への接続に対するＲＪ４５インターフェースを形成するために、このデータを前記適切な形式に処理する。
【００７２】
図１８の制御モジュール５０８は、遠隔管理部５００の前記他のモジュールへ命令する役割を持っている。制御モジュール５０８は、図１７の個々の制御部５０ａ〜ｈを有効及び無効にし、各個々の制御部内の機能を有効及び無効にし、かつ、与えられたシステムで前記制御部をポーリングするとともに、前記制御部から前記携帯電話のＰＩＤをダウンロードするための、セキュリティ機能オプションを具備する。パワーモジュール５０４は、ＡＣパワーライン電圧を、前記遠隔管理部の前記電気的なコンポーネントを動作させるために要求されるＤＣ電圧に変換する。
【００７３】
ＣＰと、ＢＴＳまたはＣＵとの間の前記通信は、図１９でのアウトラインのような手順に従う。前記手順は、前記ＣＰが“オン”になると開始し、かつ、新しいＢＴＳ／ＣＵ管轄区域に入る。ステップ６００では、ＢＴＳはインターフェース信号を待つ、及び／または、送信する。ステップ６０６では、前記ＢＴＳが前記ＣＰからインターフェース信号を受動的に待つ間、前記ＣＰは、インターフェース信号要求を走査、及び／または、送信する。ステップ６０２では、１つまたはそれ以上の前記ＢＴＳは、前記ＣＰからの識別情報、及び／または、それらの独特のインターフェース信号を含む新しいインターフェース信号を受信する。ステップ６０４では、１つまたはそれ以上の前記ＢＴＳは、前記ＣＰのインターフェース信号に応答する。ステップ６１０では、前記ＣＰは、前記信号の前記関連するフィールド強度を測定することによって、少ないとも１つのＢＴＳ信号に応答可能であるかを決定する。ステップ６１２では、前記ＣＰは範囲外であり、かつ、応答不可能となっている。それゆえに、前記ＣＰは、ステップ６００に戻ることによって、近隣のＢＴＳ／ＣＵと通信リンクを再確立することを試みる。しかしながら、ステップ６１６では、前記ＣＰが前記範囲内である場合、前記ＣＰは、ＢＴＳが最も強い／クリアな信号を決定しようとする。ステップ６１４では、前記近隣のＢＴＳは、前記ＣＰが近隣のＢＴＳの前記制御地域外であるので、前記最も強い／クリアな信号を決定し、かつ、提示することができない。それゆえに、前記ＣＰは、ステップ６００へ戻ることによって、近隣のＢＴＳ／ＣＵで通信リンクを再確立することを試みる。しかしながら、前記ＣＰはＢＴＳが最も強く／クリアな信号を有することを確立する場合、ステップ６２２で、ＢＴＳでの対話を確立する。
【００７４】
ステップ６０８では、前記ＣＰは、前記近隣のＢＴＳ及びＣＵから多数の応答を受信する。ステップ６１８では、前記ＣＰは、ＢＴＳ／ＣＵが最も強く／クリアな認識可能な信号を発することを決定する。ステップ６２２のように、ステップ６２０では、前記ＣＰは、最も強く／クリアな認識可能な信号を有する近隣のＢＴＳ／ＣＵとの対話を確立する。
【００７５】
ステップ６２４では、ＣＵは、ＣＰがその通信管轄区域内であるかを決定する。この仕事を達成するために、まず、前記ＣＵは、それらのパワーセッティング及び周波数のように、近隣の基地局の役に立つ全ての情報をポーリングする。そして、前記ＣＵは、そのＲＡＭメモリ、または、そのマイクローコントローラメモリに格納されるその基地局のテーブルを更新する。そして、前記ＣＵは、前記搬送波情報と、その更新された基地局のテーブルを比較し、それに応じて、そのパワーレベルと周波数をセットする。例えば、前記ＣＵは、その送信パワーレベルを、前記対応ＢＴＳから検出され、最も高く測定された完全なフィールド強度よりさらに大きい完全なフィールド強度を有するようにセットする。これは、前記ＣＵに、その通信領域内であるかを決定すること、かつ、前記ＣＰで適切な通信することを許可する。
【００７６】
前記ＣＵが、ステップ６２４でＣＰがその管轄区域内であることを決定する場合、前記ＣＵは、ステップ６２６で間に入り、かつ、その周波数を最小にするために、及び／または、その周波数を変えるために、そのパワーレベルを戻すように前記ＣＰに、命令する。ステップ６２８では、前記ＣＰは、その周波数を最小にセットする、及び／または、その周波数を変えるためにパワーレベルをセットすることによって、ＣＵの命令に応答する。ステップ６２６，６２８では、前記ＣＰは、もはやその搬送波ネットワークでの通信ではなくなる。
【００７７】
前記ＣＰが前記ＣＵ管轄区域ではない場合、ステップ６３２で、前記選択されたＢＴＳは、それを前記最も効率よいパワーにセットする調整をするよう、前記ＣＰに命令する。ステップ６３４で、前記ＣＰは、それを前記最も効率よいパワーにセット調整ことによって、前記選択されたＢＴＳに応答し、かつ、ステップ６３６で、前記ＢＴＳは、特定の周波数で待機するよう、前記ＣＰに命令する。
【００７８】
ステップ６３０で、前記ＣＰは、その呼出、または、待機状態にある。前記ＣＰがその待機時期であるとき、ステップ６００から６３６が実行される。前記ＣＰが前記ＣＵ管轄区域であるとき、入ってくる呼出は、ステップ６３８で処理されないし、または、受信されない。ステップ６４０で、前記ＣＵ管轄区域内で出て行く呼出をする試みがある場合、前記呼出は、ステップ６５２で処理されない。しかしながら、ステップ６４０で、前記出て行く呼出が前記ＣＵ管轄区域でされない場合、そのときステップ６４８で、前記ＢＴＳが前記呼出に対する周波数を開放し、かつ、前記呼出がステップ６４６で処理され、かつ、ステップ６５２で完了する。
【００７９】
前記ＣＰが前記ＣＵ管轄区域でなく、かつ、入ってくる呼出がステップ６３８で前記ＣＰに対してなされるとき、前記ＢＴＳは前記ＣＰに通知し、かつ、ステップ６４２で前記呼出に対する周波数を開放する。ステップ６４６で、前記呼出が処理され、かつ、ステップ６５２で前記呼出が完了される。前記呼出処理の完了後、ステップ６３０で、前記ＣＰはその呼出状態、または、待機状態に戻る。
【００８０】
前記制御部（ＣＵ）、または、そのセキュアにされたバージョン（ＣＵ−Ｓ）は、一般的に、図２０でのアウトラインのような手順に従う。ステップ７００で、ＣＵ７０２は、それらのパワーセッティング及び周波数のように役に立つ情報を、近隣の全ての基地局にポーリングする。ステップ７０６で、ＣＵ７０２は、そのＲＡＭメモリ、または、そのマイクロコントローラメモリが格納される基地局テーブルを更新するために、ステップ７００から前記収集された情報を使用する。
【００８１】
各ＣＰは、特定の搬送波を識別する特定の番号の配列を有する。ステップ７０８で、ＣＵ７０２は、その更新された基地局テーブルと前記搬送波情報を比較し、かつ、それに従って、そのパワーレベルと周波数をセットする。例えば、前記ＣＵは、前記対応ＢＴＳから検出され、最も高く測定された完全なフィールド強度よりさらに大きい完全なフィールド強度を有するように、送信パワーレベルをセットする。これは、ＣＰが通信管轄区域内であるかを決定し、かつ、前記ＣＰと適切な通信をすることをＣＵに許可する。
【００８２】
ステップ７１０では、ＣＵ７０２は、その周波数を最小化し、及び／または、その周波数を変えるために、前記ＣＰにそのパワーレベルを戻すように命令する。ステップ７１２では、前記ＣＰは、その周波数を最小化し、及び／または、その周波数を変えるために、そのパワーレベルをセットすることによって応答する。
【００８３】
前記セキュリティが破られた場合、前記セキュアにされた制御部（ＣＵーＳ）の目的は、携帯電話活動状態を記録し、かつ、可能ならば前記適当な当局に注意を喚起することである。ステップ７１８では、ＣＵーＳ７１６は、まず、ある特定のＣＰがその管轄区域に予めあったのかどうかを決定する。ステップ７２０で、前記ＣＰがＣＵーＳ７１６管轄区域で“ターンオン”となる最初のとき、ＣＵ−Ｓ７１６は、前記日付、時間、及び、前記ＣＰの識別子をそのメモリに記録する。しかしながら、前記ＣＰが予めＣＵーＳ７１６管轄区域にあった場合、ステップ７２２で、それは、前記“ターンオン”ＣＰがその管轄区域に再び入る日付と時間のみ記録する。要約すると、本実施形態において、ステップ７１６から７２２の前記目的は、ＣＵーＳ７１６管轄区域で“ターンオン”であるいくつかのＣＰの前記識別子、前記日付、前記時間を記録することである。
【００８４】
ステップ７２４では、前記ＣＰは、その呼出または待機状態にある。前記ＣＰが待機時期であるとき、ステップ７００から７２２が実行される。前記ＣＰが前記ＣＵーＳ管轄区域であるとき、ステップ７２６で、入ってくる呼出は処理、または、受信されない。ＣＵーＳ７３２管轄区域で、ステップ７３２で、出て行く呼出を行う試みがある場合、ステップ７３４で、ＣＵーＳ７３２は、前記ＣＰの前記識別子、被呼者の前記識別子、前記時間及び前記日付をそのメモリ内に記録する。ステップ７３６で、ＣＵーＳ７３２は警告を送信するか否かを決定する。ステップ７３８で、ＣＵーＳ７３２は、前記ＲＭＵに警告を送信し、そして、ステップ７４０で、処理（ｉｎｃｉｄｅｎｔ）が終了する。
【００８５】
前記発明の特定の特徴は、いくつかの図面では示されているが、他のものでは示されていないけれど、これは、単に便宜上のもので、各特徴は本発明に従って一部またはすべての他の特徴を組み合わせてもよい。ここで使用されている“含んでいる”、“構成している”、“有している”及び“とともに”という用語は、おおまかに及び広く解釈され、かつ、いつくかの物理的な連結に限られるものではない。さらに、前記出願の要旨である開示されたいくつかの実施形態は、前記唯一の可能な実施形態として解釈されるべきではない。
【００８６】
他の実施形態は、当業者によって提起され、かつ、特許請求の範囲内ものである。
【図面の簡単な説明】
【図１】一般的な六角形のハチの巣パターンの携帯電話システムのセルを示す図である。
【図２】ローカル携帯電話システムの総体的な制御に対する役割を担う中央制御サイトを示す図である。
【図３】多数のセルラータワー基地局にインターフェース信号を送信する携帯電話を表す図である。
【図４】携帯電話に応答を返す図３のセルラータワー基地局を表す図である。
【図５】図３及び図４で示す携帯電話に応答する発明の要旨である通信装置介在システムを表す図である。
【図６】セキュアな地域、または、他の地域で、例えば、レストラン、集合場所、病院、または、携帯電話の使用が望まれていない／制限されている他の地域で取り付けられた発明の要旨である通信装置介在システムを示す図である。
【図７】発明の要旨に従って無線通信装置と基地局との間に介在する方法の一部手順の初期段階を示すフローチャートである。
【図８】介在システムが最も近い携帯電話からインターフェース信号を受信するとき、発明の要旨である方法と関連づける初期段階を示すフローチャートである。
【図９】発明の要旨である通信装置介在システムの制御部と関連づける初期コンポーネントを示すブロック図である。
【図１０】図９で示したＲＦモジュールブロックの機能的なブロック図である。
【図１１】図９で示したプロトコルモジュールの機能的なブロック図である。
【図１２】図９で示したＵＩＤモジュールを表す機能的なブロック図である。
【図１３】図９のセキュアモジュールを示す機能的なブロック図である。
【図１４】図９の通信モジュールに関連した初期コンポーネントを示す機能的なブロック図である。
【図１５】図９の制御モジュールに関連した初期コンポーネントを示す機能的なブロック図である。
【図１６】発明の要旨に従った単独の通信装置介在制御部の横断面図である。
【図１７】発明の要旨であるシステムのある実施形態に従った多数の通信装置介在制御部、遠隔管理部、及び、セキュアシステムコンピュータを示す図である。
【図１８】発明の要旨である遠隔管理部システムに関連した初期コンポーネントを示すブロック図である。
【図１９】携帯電話（ＣＰ）と基地局（ＢＳ）または制御部（ＣＵ）との間の通信を示すフロー図である。
【図２０】携帯電話（ＣＰ）とＢＴＳまたはセキュアな制御部（ＣＵ−Ｓ）との間の通信を示すフロー図である。
【符号の説明】
１０　　　　セル
１２　　　　基地局
２０　　　　中央制御サイト
３０　　　　携帯電話（ＣＰ）
５０　　　　装置
１００　　　アンテナ
１０４　　　制御モジュール
５０２　　　セキュリティシステムコンピュータ
【図１】
2004505490.tif 000003
【図２】
2004505490.tif 000004
【図３】
2004505490.tif 000005
【図４】
2004505490.tif 000006
【図５】
2004505490.tif 000007
【図６】
2004505490.tif 000008
【図７】
2004505490.tif 000009
【図８】
2004505490.tif 000010
【図９】
2004505490.tif 000011
【図１０】
2004505490.tif 000012
【図１１】
2004505490.tif 000013
【図１２】
2004505490.tif 000014
【図１３】
2004505490.tif 000015
【図１４】
2004505490.tif 000016
【図１５】
2004505490.tif 000017
【図１６】
2004505490.tif 000018
【図１７】
2004505490.tif 000019
【図１８】
2004505490.tif 000020
【図１９】
2004505490.tif 000021
【図２０】
2004505490.tif 000022
【国際公開パンフレット】
2004505490.tif 000023
2004505490.tif 000024
2004505490.tif 000025
2004505490.tif 000026
2004505490.tif 000027
2004505490.tif 000028
2004505490.tif 000029
2004505490.tif 000030
2004505490.tif 000031
2004505490.tif 000032
2004505490.tif 000033
2004505490.tif 000034
2004505490.tif 000035
2004505490.tif 000036
2004505490.tif 000037
2004505490.tif 000038
2004505490.tif 000039
2004505490.tif 000040
2004505490.tif 000041
2004505490.tif 000042
2004505490.tif 000043
2004505490.tif 000044
2004505490.tif 000045
2004505490.tif 000046
2004505490.tif 000047
2004505490.tif 000048
2004505490.tif 000049
2004505490.tif 000050
2004505490.tif 000051
2004505490.tif 000052
2004505490.tif 000053
2004505490.tif 000054
2004505490.tif 000055
2004505490.tif 000056
2004505490.tif 000057
2004505490.tif 000058
2004505490.tif 000059
2004505490.tif 000060
2004505490.tif 000061
2004505490.tif 000062
2004505490.tif 000063
2004505490.tif 000064
2004505490.tif 000065
2004505490.tif 000066
2004505490.tif 000067
2004505490.tif 000068
2004505490.tif 000069
2004505490.tif 000070
2004505490.tif 000071
2004505490.tif 000072
2004505490.tif 000073
2004505490.tif 000074
2004505490.tif 000075
2004505490.tif 000076
2004505490.tif 000077
2004505490.tif 000078
2004505490.tif 000079
2004505490.tif 000080
2004505490.tif 000081
【国際公開パンフレット（コレクトバージョン）】
2004505490.tif 000082
2004505490.tif 000083
【国際調査報告】
2004505490.tif 000084